(57)【要約】【課題】開封が容易になるように改良されたリングカット包材を提供する。【解決手段】ラミネートフィルムが製袋されてなる包材にかかり、上記ラミネートフィルムは、バリア膜と、該バリア膜の一方の面にラミネートされた、縦方向よりも横方向にカットされ易くされた横方向易カットフィルムと、該バリア膜の他方の面にラミネートされポリオレフィン膜とを備える。ラミネートフィルムは、上記横方向が当該包材の幅方向になるように、かつ上記横方向易カットフィルム側を表側にして、幅方向の両端部を貼り合せて製袋されている。上記ラミネートフィルムには、切り込み線５が設けられ、該切り込み線５を切っ掛けとして、胴部を横方向にリング状に開封できるようにしている。【選択図】図３
0003134161.tif 000002
【実用新案登録請求の範囲】
【請求項１】
ラミネートフィルムが製袋されてなる包材において、
前記ラミネートフィルムは、少なくとも
バリア膜と、
該バリア膜の一方の面にラミネートされた、縦方向よりも横方向にカットされ易くされた横方向易カットフィルムと、
該バリア膜の他方の面にラミネートされポリオレフィン膜とを備え、
前記ラミネートフィルムは、該ラミネートフィルムの前記横方向が当該包材の幅方向になるように、かつ前記横方向易カットフィルムが前記バリア膜より表側になるように、その横方向の両端部を貼り合せて製袋されており、
前記ラミネートフィルムには、切り込み線が設けられ、該切り込み線を切っ掛けとして、胴部を横方向にリング状に開封できるようにしたことを特徴とするリングカット包材。
【請求項２】
前記切り込み線は、胴部に、そのＶ字の谷部が、当該包材の貼り合わせ部の方を向くようにＶ字状に設けられており、
前記胴部の表面に、前記Ｖ字の切り込み線を覆うように、開封テープが貼り付けられている、請求項１に記載のリングカット包材。
【請求項３】
前記開封テープの先端に耳部が設けられている、請求項２に記載のリングカット包材。
【請求項４】
前記ラミネートフィルムの前記両端部は、一方の端部の上に、他方の端部が、その先に耳部が余って残るように、封筒貼り状に重ね合わされて貼り合わされており、
前記切り込みは、前記耳部の端に設けられている請求項１に記載のリングカット包材。
【請求項５】
前記ラミネートフィルムの両端部は、耳出し合掌貼りで貼り合わされており、
前記切り込みは、少なくとも一方の耳部に設けられている請求項１に記載のリングカット包材。
【請求項６】
前記ラミネートフィルムは、前記横方向易カットフィルムの上に、さらに表層として設けられた、ポリエチレンテレフタレート又は２軸延伸ポリプロピレンフィルム又はヒートシールＯＰＰを含み、
前記バリア膜はＡｌ膜を含み、
前記ポリオレフィン膜はＬＤＰＥ膜を含む請求項１から５のいずれか１項に記載のリングカット包材。
【請求項７】
前記横方向易カットフィルムは、該フィルムの流れ方向に対して直角の方向に延伸された高密度ポリエチレン横延伸フィルムを含む請求項１から６のいずれか１項に記載のリングカット包材。
【考案の詳細な説明】
【技術分野】
【０００１】
本考案は、一般に包装材に関するものであり、より特定的には、胴部を横方向にリング状に開封できるように改良されたリングカット包材に関する。
【背景技術】
【０００２】
バリア包装袋として、特許文献１は、開封用切れ目が刻設されてなる包装用袋を提案している。すなわち、二軸延伸ナイロンフィルムの片面に、２液硬化型ウレタン系接着剤をコ−ティングし、次に該接着剤面にアルミニウム箔をドライラミネ−トし、更に、該アルミニウム箔の他方の面に、２液硬化型ウレタン系接着剤をコ−ティングし、該接着剤面に、低密度ポリエチレンフィルムをドライラミネ−トして、三層からなる積層体を製造する。次に該積層体から袋を製造し、次いでこの袋の前壁と後壁との表裏に、その開封位置に、炭酸ガスレ−ザを用いて、連続線の開封用切れ目を刻設する。これによって、易開封性のバリア包装袋を得ている。
【特許文献１】特開平１０−１７０１３号公報
【考案の開示】
【考案が解決しようとする課題】
【０００３】
しかしながら、上記特許文献１に開示される技術においては、炭酸ガスレーザを用いてミシン目を入れているので、この場合、炭酸ガスレーザを吸収する素材でなければミシン目が刻設されないという問題点を有する。そのために、特許文献１では、ポリアミドフィルムを使用している。
【０００４】
また、特許文献１の開示技術は、炭酸ガスレーザを用いてミシン目を入れているので、炭酸ガスレ−ザ照射機という大掛かりな設備が必要になるという問題点があった。また、素材も限定されたものとなるため、一般の食品用バリア袋としては好ましくない場合があるという問題点があった。
【０００５】
この考案は上記のような問題点を解決するためになされたもので、大掛かりな装置を用いないで製造することができ、かつ易開封性を有するリングカット包材を提供することを目的とする。
【課題を解決するための手段】
【０００６】
この考案は、ラミネートフィルムが製袋されてなるリングカット包材に係る。上記ラミネートフィルムは、少なくとも、バリア膜と、該バリア膜の一方の面にラミネートされた、縦方向よりも横方向によりカットされ易くされた横方向易カットフィルムと、該バリア膜の他方の面にラミネートされポリオレフィン膜とを備える。上記ラミネートフィルムは、該ラミネートフィルムの上記横方向が当該包材の幅方向になるように、かつ上記横方向易カットフィルムが上記バリア膜より表側になるように、その横方向の両端部を貼り合せて製袋されている。上記ラミネートフィルムには、切り込み線が設けられ、該切り込み線を切っ掛けとして、胴部を横方向にリング状に開封できるようにされている。
【０００７】
本考案の好ましい実施態様によれば、上記切り込み線は胴部に、そのＶ字の谷部が、当該包材の貼り合わせ部の方を向くようにＶ字状に設けられており、上記胴部の表面に、上記Ｖ字の切り込み線を覆うように、開封テープが貼り付けられている。開封テープの先端に耳部が設けられているのが好ましい。なお、切り込みは、Ｕ字であってもよい。
【０００８】
本考案の他の好ましい実施態様によれば、上記ラミネートフィルムの上記両端部は、一方の端部の上に、他方の端部が、その先に耳部が余って残るように、封筒貼り状に重ね合わされて貼り合わされており、上記切り込みは、上記耳部の端に設けられている。
【０００９】
本考案のさらに他の好ましい実施態様によれば、上記ラミネートフィルムの上記両端部は、耳出し合掌貼りで貼り合わされており、上記切り込みは、一方の耳部に設けられている。
【００１０】
本考案の好ましい実施態様によれば、上記ラミネートフィルムは、上記横方向易カットフィルムの上に、さらに表層として設けられた、ポリエチレンテレフタレート又は２軸延伸ポリプロピレンフィルム又はヒートシールＯＰＰを含む。上記バリア膜はＡｌ膜を含み、上記ポリオレフィン膜はＬＤＰＥ膜を含む。
【００１１】
上記横方向易カットフィルムは、該フィルムの流れ方向に対して直角の方向に延伸された高密度ポリエチレン横延伸フィルムを含むのが好ましい。
【考案の効果】
【００１２】
本考案に係るリングカット包材によれば、包材となるラミネートフィルムは、少なくとも、バリア膜と、該バリア膜の一方の面にラミネートされた、縦方向よりも横方向によりカットされるようにされた横方向易カットフィルムと、該バリア膜の他方の面にラミネートされポリオレフィン膜で構成され、さらに、ラミネートフィルムには、切り込み線が設けられ、該切り込み線を切っ掛けとして、胴部を横方向にリング状に開封できるようにしている。したがって、消費者は、この切り込み線部分で容易に開封することができ、容易に包材から内容物を取り出すことができる。また、このようなリングカット包材は、大掛かりな装置を用いないで製造することができる。
【考案を実施するための最良の形態】
【００１３】
易開封性を有するリングカット包材を得るという目的を、ラミネートフィルムを、少なくとも、バリア膜と、該バリア膜の一方の面にラミネートされた、縦方向よりも横方向にカットされ易くされた横方向易カットフィルムと、該バリア膜の他方の面にラミネートされポリオレフィン膜とで構成し、ラミネートフィルムに、切り込み線を設け、該切り込み線を切っ掛けとして、胴部を横方向にリング状に開封できるようにするということによって実現した。以下、この考案の実施例を、図を用いて説明する。
【実施例１】
【００１４】
図１（Ａ）は、本考案に係るリングカット包材に使用されるラミネートフィルムの断面図である。ラミネートフィルムは、５−２５μｍ厚みのバリア膜３と、バリア膜３の一方の面にラミネートされた、縦方向よりも横方向にカットされ易くされた１８μｍ厚みの横方向易カットフィルム２と、バリア膜３の他方の面に、シーラントとしてＬＤＰＥ膜４がラミネートされている。横方向易カットフィルム２の上には表層の１２−２５μｍ厚みのＰＥＴ（ポリエチレンテレフタレート）膜１が積層されている。
【００１５】
このようなラミネートフィルムの製造方法について、説明すると、図１（Ｂ）を参照して、ａ，ｂ部はドライラミネートでラミネートした。押し出しラミネートでも可能である。ｃ部は、押し出しラミネート機にてラミネートした。
【００１６】
表層は、２０−４０μｍ厚みのＯＰＰ（２軸延伸ポリプロピレン）、ヒートシールＯＰＰでもよい。印刷がない無地品であれば、図１（Ｃ）に示す３層構造のように、表層のＰＥＴ又はＯＰＰは必要ない。
【００１７】
シーラントはＬＤＰＥ（低密度ポリエチレン）が望ましいが、ポリプロピレンや中密度及び高密度ポリエチレン、直鎖低密度ポリエチレンなどでもよい。
【００１８】
横方向易カットフィルムは、例えば高密度ポリエチレン横延伸フィルム（例えば、電気化学工業株式会社製カラリヤンＹ（登録商標））で形成される。延伸は、図２に示すように、原反の高密度ポリエチレンフィルムを、フィルム流れ方向に対して直角方向に行っている。延伸方向は、分子の配列が一定し、カットされ易くなる。
【００１９】
本考案のバリア膜３には、例えば、太陽光等の光を遮光する遮光性、あるいは水蒸気、水、酸素等のガス等を透過しないバリア性等を有する材料を使用することができる。具体的には、例えば、遮光性とバリア性を有するアルミニウム箔（以下、アルミ箔という）又はアルミ蒸着フィルムが例示でき、さらに、遮光性は有していないが、バリア性を有する酸化珪素や酸化アルミニウム等の無機酸化物の透明蒸着フィルムも例示することができる。
【実施例２】
【００２０】
図３は、本考案に係るリングカット包材の概念図である。
【００２１】
図３を参照して、実施例１で説明したラミネートフィルムが、横方向易カットフィルムの延伸方向が当該包材の幅方向になるように、かつ該横方向易カットフィルム側がバリア膜より表側になるように、その横方向の両端部を貼り合せて製袋されている。ラミネートフィルムには、Ｖ字状の切り込み線５が設けられ、該切り込み線を切っ掛けとして、胴部を横方向にリング状に開封できるようにしている。切り込み線５は、胴部に、そのＶ字の谷部が、当該包材の貼り合わせ部の方を向くＶ字状に設けられている。Ｖ字の切り込み５を覆うように胴部の表面に開封テープ６が貼り付けられている。開封テープ６は図のように耳部のあるほうがいい。開封テープ６の耳部６ａを引っ張ることにより、矢印の方向、即ち、胴部を点線に沿って、横方向にリング状に開封できる。
【００２２】
製袋の方法について説明すると、まず、横ピロー包装機にて製袋時に、Ｖ字に上記切り込みを入れる。その直後に開封用テープを貼る。背貼りをヒートシールしながら、内容物を充填する。上部シールと下部シールをする。
【実施例３】
【００２３】
図４（Ａ）は、実施例３に係るリングカット包材の概念図であり、図４（Ｂ）は、上から見た図である。斜線部が接着部である。本実施例では、実施例１で説明したラミネートフィルムを用いて、他方の端部７ｂが、その先に耳部８が余って残るように、一方の端部７ａに重ね合わされて貼り合わせた封筒貼りになっている。切り込み５は、耳部８の端に設けられている。切り込み５は、Ｖ字カットやマジックカットで形成される。封筒貼りで余らせた耳部８の端にＶ字カットやマッジクカットが設けられることにより、開封するときのきっかけが与えられ、矢印の方向、即ち、胴部を点線に沿って、横方向にリング状に開封できる。
【００２４】
製袋の方法について説明すると、スリット字に端部にマジックカットを施しておく。横ピロー機にて内容物を充填しながら端部にホットメルトを塗布し封筒貼りをする。袋の上下部をヒートシールする。接着部は、接着剤、粘着材、両面テープ、熱シール等のいずれかの方法で接着できる。
【００２５】
材料について説明すると、接着剤・粘着材は、ホットメルト粘着材もしくは接着剤（東亞合成Ｐ−ＰＥＴなど）、パーコート剤である。熱シールは、製品外側はヒートシールＯＰＰ等（東セロＨＣＯＰ）、製品内側はポリプロピレンで実現する。
【実施例４】
【００２６】
図５（Ａ）は、実施例４に係るリングカット包材の概念図であり、図５（Ｂ）は、上から見た図である。斜線部が接着部である。
【００２７】
本実施例では、両端部は、耳出し合掌貼りで貼り合わされており、切り込み５は、一方の端部（耳部）に設けられている。少なくとも一方の耳部にＶ字カットやマッジクカットが設けられることにより、開封するときのきっかけが与えられ、矢印の方向、即ち、胴部を点線に沿って、横方向にリング状に開封できる。
【００２８】
製袋の方法について説明すると、スリット字に端部にマジックカットを施しておく。横ピロー機にて背貼り部をヒートシールの要領で合掌貼りする。袋の上下部をヒートシールする。
【００２９】
今回開示された実施例はすべての点で例示であって制限的なものではないと考えられるべきである。本考案の範囲は上記した説明ではなくて実用新案登録請求の範囲によって示され、実用新案登録請求の範囲と均等の意味および範囲内でのすべての変更が含まれることが意図される。
【産業上の利用可能性】
【００３０】
本考案に係るリングカット包材によれば、開封が容易になるので、消費者は容易に内容物を取り出すことができる。お茶の葉、焼き菓子、羊羹、ゼリーなどの菓子類の包装袋に利用すると特に効果的である。
【図面の簡単な説明】
【００３１】
【図１】（Ａ）  実施例１に係る、リングカット包材に使用されるラミネートフィルムの断面図である。  （Ｂ）  上記ラミネートフィルムの製造方法を説明するための図である。  （Ｃ）  実施例１の変形例に係るラミネートフィルムの断面図である。
【図２】高密度ポリエチレン横延伸フィルムの延伸された方向を示す図である。
【図３】実施例２に係るリングカット包材の概念図である。
【図４】（Ａ）  実施例３に係るリングカット包材の概念図である。  （Ｂ）  実施例３に係るリングカット包材の上方から見た概念図である。
【図５】（Ａ）  実施例４に係るリングカット包材の概念図である。  （Ｂ）  実施例４に係るリングカット包材の上方から見た概念図である。
【符号の説明】
【００３２】
１ ＰＥＴ
２ 横方向易カットフィルム
３ バリア膜
４ ＬＤＰＥ膜
５ 切り込み線
６ 開封テープ
６ａ      耳部
７ａ      一方の端部
７ｂ      他方の端部
８ 耳部
【図１】
0003134161.tif 000003
【図２】
0003134161.tif 000004
【図３】
0003134161.tif 000005
【図４】
0003134161.tif 000006
【図５】
0003134161.tif 000007
【手続補正書】
【提出日】平成19年6月12日(2007.6.12)
【手続補正１】
【補正対象書類名】実用新案登録請求の範囲
【補正対象項目名】請求項４
【補正方法】変更
【補正の内容】
【請求項４】
前記ラミネートフィルムの前記両端部は、一方の端部の上に、他方の端部が、その先に耳部が余って残るように、封筒貼り状に重ね合わされて貼り合わされており、
前記切り込み線は、前記耳部の端に設けられている請求項１に記載のリングカット包材。
【手続補正２】
【補正対象書類名】実用新案登録請求の範囲
【補正対象項目名】請求項５
【補正方法】変更
【補正の内容】
【請求項５】
前記ラミネートフィルムの両端部は、２つの耳部が現われるように耳出し合掌貼りで貼り合わされており、
前記切り込み線は、前記２つの耳部の内、少なくとも一方の耳部に設けられている請求項１に記載のリングカット包材。
【手続補正３】
【補正対象書類名】明細書
【補正対象項目名】０００８
【補正方法】変更
【補正の内容】
【０００８】
本考案の他の好ましい実施態様によれば、上記ラミネートフィルムの上記両端部は、一方の端部の上に、他方の端部が、その先に耳部が余って残るように、封筒貼り状に重ね合わされて貼り合わされており、上記切り込み線は、上記耳部の端に設けられている。
【手続補正４】
【補正対象書類名】明細書
【補正対象項目名】０００９
【補正方法】変更
【補正の内容】
【０００９】
本考案のさらに他の好ましい実施態様によれば、上記ラミネートフィルムの上記両端部は、２つの耳部が現われるように耳出し合掌貼りで貼り合わされており、上記切り込み線は、前記２つの耳部の内、少なくとも一方の耳部に設けられている。